(57)【要約】【課題】  表示領域の周囲に設けられる額縁領域のさらなる狭額縁化を実現した表示装置及びその製造方法を提供する。【解決手段】  液晶表示装置は、液晶パネル１０に設けられたドライバ回路７と、光出力部１及び受光部２を含む光電変換素子を備えている。光電変換素子の受光部２に発生した電圧がドライバ回路７に印加されることにより、ドライバ回路７の制御によって、液晶パネル１０上のバスライン５に信号が供給される。【選択図】  図１
2006017929.tif 000002
【特許請求の範囲】
【請求項１】
表示パネルに画像表示を行う表示装置であって、
上記表示パネルに設けられた電子デバイスと、
光を出力する光出力部、及び、該光出力部から出力された光を受光して起電力を発生する受光部を含む光電変換素子と、を備え、
上記光電変換素子に発生した電圧を上記電子デバイスの少なくとも一部に印加することを特徴とする表示装置。
【請求項２】
上記電子デバイスは、上記液晶パネルへの画像表示を制御するための表示制御部材であることを特徴とする請求項１に記載の表示装置。
【請求項３】
上記表示パネルは、互いに対向するように設けられた１対の基板を有し、
上記受光部は、上記１対の基板間に設けられ、
上記光出力部は、該光出力部からの出力光が、上記表示パネルの側部から上記受光部に入射するように配置されていることを特徴とする請求項１又は２記載の表示装置。
【請求項４】
上記表示パネルは、互いに対向するように設けられた１対の基板を有し、
上記受光部は、上記１対の基板間に設けられ、
上記光出力部は、１対の基板のうちの一方の基板を介して、上記受光部に対向するように配置されていることを特徴とする請求項１又は２記載の表示装置。
【請求項５】
上記表示パネルは、互いに対向するように設けられた１対の基板を有し、
上記受光部は、上記１対の基板間に設けられ、
上記光出力部は、該光出力部からの出力光が、１対の基板のうちの一方の基板を介して、上記受光部に入射するように配置されていることを特徴とする請求項１又は２記載の表示装置。
【請求項６】
上記１対の基板のうち一方の基板は、複数の信号線によって格子状に区画された領域を有する信号線側基板であり、
上記信号線側基板の、信号線が形成された側の面上には、上記受光部が設けられていることを特徴とする請求項１〜５のいずれか１項に記載の表示装置。
【請求項７】
上記光出力部の光を出力する出力面と、上記受光部の光出力部から出力される光を受光する受光面との間には、上記出力面から受光面に光を導くための導光部材が設けられていることを特徴とする請求項１〜６のいずれか１項に記載の表示装置。
【請求項８】
上記光出力部から出力される光を受光する受光面が少なくとも露出した状態で、上記受光部を被覆する受光側被覆部を有することを特徴とする請求項１〜７のいずれか１項に記載の表示装置。
【請求項９】
光を出力する出力面が少なくとも露出した状態で、上記光出力部を被覆する出力側被覆部を有することを特徴とする請求項１〜８のいずれか１項に記載の表示装置。
【請求項１０】
上記受光側被覆部及び出力側被覆部のうちの少なくとも一方は、金属、半導体、光遮断性の樹脂のうちのいずれかにて形成されていることを特徴とする請求項８又は９に記載の表示装置。
【請求項１１】
上記１対の基板のうち、上記光出力部と受光部との間に介在する一方の基板上に、通過する光特性を変調する光特性変調部材を備え、
上記光特性変調部材は、上記光出力部から受光部に出力される光の通過部にて、上記一方の基板が少なくとも露出するように形成されていることを特徴とする請求項４〜１０のいずれか１項に記載の表示装置。
【請求項１２】
上記光出力部は、該光出力部に供給する電圧を制御する制御用回路基板上に設けられ、
上記制御用回路基板上に、上記光出力部と受光部との位置合わせを行うための位置合わせ用光出力部を有し、
上記一対の基板のうち、受光部が形成されている基板上に、上記位置合わせ用光出力部に対向するように位置合わせ用受光部を有することを特徴とする請求項３〜１１のいずれか１項に記載の表示装置。
【請求項１３】
１対の基板を互いに対向して配置するための位置合わせを行う表示装置の製造方法において、
一方の基板に位置合わせ用光出力部を形成するとともに、他方の基板に位置合わせ用受光部を形成し、
上記位置合わせ用光出力部から出力された光が、位置合わせ用受光部に入射したことを検出することによって、上記１対の基板の位置合わせを行うことを特徴とする表示装置の製造方法。
【発明の詳細な説明】
【技術分野】
【０００１】
本発明は、表示パネルに画像表示を行う表示装置及びその製造方法に関するものである。
【背景技術】
【０００２】
携帯電話やカーナビゲーション、ノート型パソコン等の携帯情報端末では、該携帯情報端末に対して、より一層のコンパクト化や軽量化等が要求される反面、携帯情報端末に備えられる表示装置に対しては、携帯情報端末の外形寸法に収まる範囲内で最大寸法となるように、より広い表示領域を確保することが求められている。
【０００３】
一方、家庭用のテレビやＯＡ機器等に用いられる液晶表示装置や有機ＥＬ（electro luminescent）表示装置、プラズマ表示装置等には、臨場感に富んだ画像表示等のように、視覚的に優れた効果を実現するために、大画面化が要求され、表示装置が大型化する傾向にある。
【０００４】
上記のような表示装置の大画面化に伴って、表示画面として用いられる表示パネルも大型化する必要がある。しかしながら、表示パネルの大型化を図ると、表示素子の欠陥等による不良率が高くなる傾向にあり、表示装置の歩留まりが悪化する。また、表示装置が大型化すると、表示装置の輸送が困難となるだけでなく、運搬コストも増大し、表示装置の価格の上昇も招来する。
【０００５】
そこで、表示装置の大画面化に際し、表示品位の低下や表示装置の高価格化を抑制するために、複数の表示パネルをつなぎ合わせて、１台の表示装置とするマルチパネル方式の表示装置が提案されている。このようなマルチパネル方式の表示装置では、複数の表示パネルをつなぎ合わせる必要があり、表示パネル間のつなぎ目が目立つという問題がある。そのため、マルチパネル方式の表示装置におけるつなぎ目を目立たなくするための種々の技術が、特許文献１〜４に開示されている。
【０００６】
ところで、上記表示装置の表示パネルは、表示パネルに表示される画像の画像データを供給する信号線等が配置される基板と、該基板に対向して配置される対向基板とを備えている。上記基板には、フレキシブルプリント基板（以下、ＦＰＣ）を介して、プリント回路基板から電源供給や信号伝達が行われるようになっている。
【０００７】
上記表示装置の一例としての液晶表示装置の断面図を図９に示し、該液晶表示装置の上面図を図１０に示す。上記液晶表示装置では、図９に示すように、薄膜トランジスタ（以下、ＴＦＴ(Thin Film Transistor)素子）５６やバスライン５５が設けられたアクティブ素子基板５１と、該アクティブ素子基板５１に液晶層５４を介して、対向するように配置される対向基板５２とを備えた液晶パネル５０が用いられる。上記アクティブ素子基板５１は、バスライン５５によって区画された領域にＴＦＴ素子５６を有し、バスライン５５に電源やデータ信号等を供給してＴＦＴ素子５６を駆動するドライバ５７を有している。
【０００８】
また、上記液晶パネル５０のアクティブ素子基板５１の背面には、バックライト６４と、アクティブ素子基板５１に電源やデータ信号を供給するプリント回路基板５３とが設けられている。さらに、上記液晶表示装置には、上記アクティブ素子基板５１のドライバ５７に、プリント回路基板５３からの電源供給やデータ信号の伝達のために、ＦＰＣ５８が用いられる。ＦＰＣ５８は、アクティブ素子基板５１とプリント回路基板５３とを電気的に接続するものであり、アクティブ素子基板５１側に配置されるＦＰＣ５８の端子は、異方性導電膜６１等を介して、上記ドライバ５７に接続される接続用配線６２上に設けられ、プリント回路基板５３側に配置されるＦＰＣ５８の端子は、ソケット５９に挿し込まれるようになっている。
【特許文献１】特開平８−２２０５５２号公報（１９９６年８月３０日公開）
【特許文献２】特開平８−３３８９７２号公報（１９９６年１２月２４日公開）
【特許文献３】特開平９−１０５９４８号公報（１９９７年４月２２日公開）
【特許文献４】特開平１０−１０４５６０号公報（１９９８年４月２４日公開）
【発明の開示】
【発明が解決しようとする課題】
【０００９】
上記のように、ＦＰＣ５８を用いて、アクティブ素子基板５１とプリント回路基板５３とを接続すると、図１０に示すように、液晶パネル５０の端部に、ＦＰＣ５８を接続する領域が必要となる。すなわち、上記液晶表示装置では、図９に示すように、ＦＰＣ５８を介して、アクティブ素子基板５１上のドライバ５７等に電源や信号を供給するため、アクティブ素子基板５１上にＦＰＣ５８の端子を接続するための接続領域６３（図１０）が必要になる。この接続領域６３は、ＦＰＣ５８とアクティブ素子基板５１とを異方性導電膜６１（図９）を介して安定に接着させ、良好な導通を確保し得る程度に、十分な大きさを有することを必要とする。
【００１０】
そのため、上記接続領域６３は、表示領域６０としては利用することができない。それゆえ、図１０に示すように、上記接続領域６３は、表示領域６０の外部に設けられて、表示領域６０の周囲の額縁領域となる。従って、図９に示すように、アクティブ素子基板の端部にＦＰＣ５８を配置すると、該ＦＰＣ５８の配置される領域を確保するために、表示領域に加えて額縁領域が必要となり、表示装置の狭額縁化を実現することが困難となってしまう。
【００１１】
前記したように、携帯情報端末では、より広い表示領域を確保することが求められ、また、マルチパネル方式の表示装置におけるつなぎ目を目立たなくすることが求められている。このような要求に応えるためには、上記額縁領域を縮小する必要がある。しかしながら、ＦＰＣを用いた表示装置におけるＦＰＣ５８が接続される領域は、現在、信頼性や回路信号の伝達の観点から、アクティブ素子基板５１とプリント回路基板５３との良好な接続を確保するために必要とされる、ほぼ限界の大きさであり、さらなる縮小化は困難な状況にある。
【００１２】
従って、表示装置のさらなる狭額縁化を実現するために、ＦＰＣに代わる新たな技術を用いて、電源供給や信号伝達を実現し得る表示装置の開発が求められている。
【００１３】
本発明は、上記従来の問題点を解決するためになされたものであって、その目的は、表示領域の周囲に設けられる額縁領域のさらなる狭額縁化を実現し得る表示装置及びその製造方法を提供することにある。
【課題を解決するための手段】
【００１４】
本発明に係る表示装置は、上記課題を解決するために、表示パネルに画像表示を行う表示装置であって、上記表示パネルに設けられた電子デバイスと、光を出力する光出力部、及び、該光出力部から出力された光を受光して起電力を発生する受光部を含む光電変換素子と、を備え、上記光電変換素子に発生した電圧を上記電子デバイスの少なくとも一部に印加することを特徴としている。
【００１５】
ここで、上記電子デバイスには、少なくとも、上記表示パネルへの画像表示を制御するための表示制御部材が含まれる。上記表示制御部材とは、アクティブ素子、表示パネルに設けられる信号線に電圧を印加することによって表示駆動制御を行うドライバ等の駆動回路等、画像表示の制御に関与する部材をいう。また、上記電子デバイスには、上記表示制御部材に限らず、半導体集積回路、チップ抵抗、チップコンデンサ等のＩＣチップ等、作動に際して電力供給が必要とされる電子部品全般を含む。
【００１６】
上記の構成によれば、表示パネルに設けられた少なくとも一部の電子デバイスには、光電変換素子を用いて電圧が供給される。上記光電変換素子は微小であるため、表示パネル上にて占有する領域は小さい。また、上記表示制御を行う駆動回路の一部として光電変換素子を形成することが可能である。それゆえ、表示領域の周囲に設けられる額縁領域をより一層縮小することができる。これにより、狭額縁化を実現した表示装置を提供することができるという効果を奏する。
【００１７】
また、本発明に係る表示装置は、上記の表示装置において、上記表示パネルは、互いに対向するように設けられた１対の基板を有し、上記受光部は、上記１対の基板間に設けられ、上記光出力部は、該光出力部からの出力光が、上記表示パネルの側部から上記受光部に入射するように配置されていてもよい。
【００１８】
あるいは、本発明に係る表示装置は、上記の表示装置において、上記表示パネルは、互いに対向するように設けられた１対の基板を有し、上記受光部は、上記１対の基板間に設けられ、上記光出力部は、１対の基板のうちの一方の基板を介して、上記受光部に対向するように配置されていてもよい。
【００１９】
あるいは、本発明に係る表示装置は、上記の表示装置において、上記表示パネルは、互いに対向するように設けられた１対の基板を有し、上記受光部は、上記１対の基板間に設けられ、上記光出力部は、該光出力部からの出力光が、１対の基板のうちの一方の基板を介して、上記受光部に入射するように配置されていてもよい。
【００２０】
上記の各構成によれば、光電変換素子を用いているので、上記光出力部と受光部とが電気的に絶縁された状態であっても、光出力部から光が出力され、出力された光が、最終的に受光部に入射されれば、受光部に起電力を発生させることができる。上記光出力部から出力された光は、基板を介して受光部に入射してもよく、基板を介さずに受光部に入射してもよい。従って、受光部に光が入射するように光出力部を配置し、受光部が表示パネル上の電子デバイスに電気的に接続されていれば、光出力部に電圧を供給することによって、電子デバイスに電圧を印加することができる。
【００２１】
また、本発明に係る表示装置は、上記の表示装置において、上記１対の基板のうちの一方の基板は、複数の信号線によって格子状に区画された領域を有する信号線側基板であり、上記信号線側基板の、信号線が形成された側の面上には、上記受光部が設けられていてもよい。
【００２２】
上記の構成によれば、微細な光電変換素子を用いているので、信号線側基板のように、多数の信号線が設けられている場合に、該信号線に対応する個数の受光部を設けても、信号線基板上にて受光部が占有する面積は小さい。従って、各信号線に信号を供給するために、多数の受光部が必要な場合にも、額縁領域を縮小することができる。これにより、狭額縁化を実現した表示装置を提供することができる。
【００２３】
また、本発明に係る表示装置は、上記の表示装置において、上記光出力部の光を出力する出力面と、上記受光部の光出力部から出力される光を受光する受光面との間には、上記出力面から受光面に光を導くための導光部材が設けられていてもよい。
【００２４】
上記の構成によれば、導光部材を設けているので、光出力部から出力された光を受光部に効率よく伝送することができる。これにより、光出力部から出力された光を効率的に活用して、受光部に電圧を発生させることができる。
【００２５】
また、本発明に係る表示装置は、上記の表示装置において、上記光出力部から出力される光を受光する受光面が少なくとも露出した状態で、上記受光部を被覆する受光側被覆部を有していてもよい。
【００２６】
上記の構成によれば、上記受光部の受光面にて受光される光に、所定の光出力部からの出力光以外の光が混入することを防止することができる。これにより、受光部が、所定の光出力部以外の光を受光して、受光部に発生する起電力のばらつきを抑制することができる。それゆえ、電子デバイスに供給される電圧を良好に制御することができるという効果を奏する。
【００２７】
また、本発明に係る表示装置は、上記の表示装置において、光を出力する出力面が少なくとも露出した状態で、上記光出力部を被覆する出力側被覆部を有してもよい。
【００２８】
上記の構成によれば、上記光出力部から出力される光が、外部光等の影響を受けることを防止することができる。従って、上記受光部には、光出力部から所定の出力光を入射させることができるので、受光部に発生する起電力のばらつきを抑制することができる。これにより、電子デバイスに供給される電圧を良好に制御することができる。
【００２９】
また、本発明に係る表示装置は、上記の表示装置において、上記受光側被覆部及び出力側被覆部のうちの少なくとも一方は、金属、半導体、光遮断性の樹脂のうちのいずれかにて形成されていることが好ましい。
【００３０】
上記の構成によれば、上記受光側被覆部及び出力側被覆部は、金属、半導体、光遮断性の樹脂のうちのいずれかにて形成されているので、外部からの光を遮断することができる。これにより、受光部で受光する光や、光出力部から出力される光が、外部からの光の影響を受けることを防止することができる。従って、外部からの光等の影響を受けることなく、表示制御部材への信号伝達を行うことができる。
【００３１】
また、本発明に係る表示装置は、上記の表示装置において、上記１対の基板のうち、上記光出力部と受光部との間に介在する一方の基板上に、通過する光特性を変調する光特性変調部材を備え、上記光特性変調部材は、上記光出力部から受光部に出力される光の通過部にて、上記一方の基板が少なくとも露出するように形成されていてもよい。
【００３２】
上記光特性変調部材とは、光を遮断する、あるいは、偏光度、光透過率、分光特性等の光の諸特性を変調する部材をいう。
【００３３】
上記の構成によれば、光出力部から受光部に出力される光の通過部には、光特性変調部材は形成されない。従って、光出力部から受光部への光伝送を効率よく行うことができるので、光出力部から出力された光の光特性を変調することなく効率的に活用して、受光部に電圧を発生させることができる。
【００３４】
また、本発明に係る表示装置は、上記の表示装置において、上記光出力部は、該光出力部に供給する電圧を制御する制御用回路基板上に設けられ、上記制御用回路基板上に、上記光出力部と受光部との位置合わせを行うための位置合わせ用光出力部を有し、上記一対の基板のうち、受光部が形成されている基板上に、上記位置合わせ用光出力部に対向するように位置合わせ用受光部を有していてもよい。
【００３５】
上記の構成によれば、上記光出力部を制御用回路基板上に設け、受光部が形成されている基板上に位置合わせ用光出力部を設けている。従って、位置合わせ用光出力部から出力される光が、位置合わせ用受光部に受光され、該位置合わせ用受光部に電圧が生じたことを確認するという簡便な手法によって、上記光出力部と受光部との位置合わせを行うことができる。
【００３６】
また、本発明に係る表示装置の製造方法は、１対の基板を互いに対向して配置するための位置合わせを行う表示装置の製造方法において、一方の基板側に位置合わせ用光出力部を形成するとともに、他方の基板側に位置合わせ用受光部を形成し、上記位置合わせ用光出力部から出力された光が、位置合わせ用受光部に入射したことを検出することによって、上記１対の基板の位置合わせを行うことを特徴としている。
【００３７】
上記の方法によれば、１対の基板の一方に位置合わせ用光出力部を設け、他方に位置合わせ用受光部を設けている。従って、上記位置合わせ用光出力部から出力された光が、位置合わせ用受光部に入射したか否かを検出することによって、１対の基板の位置合わせを精度よく行うことができる。
【発明の効果】
【００３８】
本発明に係る表示装置は、以上のように、表示パネルに設けられた電子デバイスと、光を出力する光出力部、及び、該光出力部から出力された光を受光して起電力を発生する受光部を含む光電変換素子と、を備え、上記光電変換素子に発生した電圧を上記電子デバイスの少なくとも一部に印加するものである。
【００３９】
また、本発明に係る表示装置は、上記表示装置において、表示パネルに設けられたドライバ等の電子デバイスに、上記受光部を形成することにより、表示パネルの基板にＦＰＣを接続するための領域を不要とすることができる。
【００４０】
それゆえ、ＦＰＣを使用することなく、表示パネルに設けられた少なくとも一部の電子デバイスに、微小な光電変換素子を用いて電圧を供給することができる。従って、表示パネルの表示領域の周囲に光電変換素子を設けても、額縁領域をより一層縮小することができるので、表示装置の狭額縁化を実現することができるという効果を奏する。
【発明を実施するための最良の形態】
【００４１】
本発明の実施の一形態について図１ないし図８に基づいて説明すれば、以下の通りである。なお、以下では、表示装置の一例として、アクティブマトリクス方式の液晶表示装置を例に挙げて説明するが、本発明は、アクティブマトリクス方式に限らず、単純マトリクス方式、スタティック方式、マルチプレックス方式等の液晶表示装置にも適用可能であり、また、有機ＥＬ表示装置、プラズマ表示装置、ＬＥＤ表示装置等の、液晶表示装置以外の他の表示装置にも適用可能である。
【００４２】
本実施の形態の液晶表示装置は、従来、ＦＰＣを介して行われていた電源供給や信号伝達を、電気的に絶縁された光出力部と受光部とが光によって結合される光電変換素子を用いて行うものである。上記光電変換素子をなす上記光出力部は、赤外光や可視光、紫外光等の光を発する発光素子であり、上記受光部は、光出力部から出力された光を受光して光起電力効果により起電力を生じさせる受光素子である。つまり、本実施の形態の液晶表示装置では、光出力部から出力された光を用いて受光部で発生した電圧で、電源供給や信号伝達が実現される。
【００４３】
図１に、上記液晶表示装置の断面図を示し、図２に、上記液晶表示装置の分解斜視図を示し、図３に、上記液晶表示装置の上面図を示す。上記液晶表示装置は、図１に示すように、画像表示を行う表示領域２０（図３）を備えた液晶パネル（表示パネル）１０と、該液晶パネル１０の表示領域に光を照射するバックライト４と、光出力部１と受光部２とを含む光電変換素子と、制御用回路基板であるプリント回路基板３と、を備えている。
【００４４】
上記液晶パネル１０は、１対の光透過性の絶縁基板が互いに対向するように配置されてなり、上記絶縁基板は、例えば紫外線硬化樹脂や熱硬化樹脂等で形成されるシール部材１３で貼り合わされる。該シール部材１３で貼り合わされた１対の絶縁基板間には液晶（表示用材料）が封入され、これにより、絶縁基板によって液晶層１４が挟持される。上記１対の絶縁基板は、図１に示すように、対向電極を有する対向基板１２、及び、画素電極やアクティブ素子を有する側のアクティブ素子基板１１である。
【００４５】
上記対向基板１２の液晶層１４が配置される側の面には、図１に示すように、Ｒ（赤），Ｇ（緑），Ｂ（青）のカラーフィルタ１６、及び、光を遮断するブラックマトリクス１７が形成されている。また、カラーフィルタ１６上には、液晶層１４に電圧を印加するための対向電極１５や図示しない配線等が設けられている。上記カラーフィルタ１６及び対向電極１５は、液晶パネル１０の表示領域全体を少なくとも覆う大きさを有している。上記ブラックマトリクス１７は、後述する受光部２及びドライバ回路７を覆う大きさを有し、かつ、受光部２に対向する位置に設けられている。
【００４６】
一方、上記対向基板１２の液晶層１４が配置される側とは反対側の面には、図１及び図２に示すように、表偏光板１９が設けられている。表偏光板１９は、液晶パネル１０の表示領域全体を少なくとも覆う大きさを有している。この表偏光板１９の側から、観察者が液晶パネル１０の表示領域を観察することによって、表示領域に形成される画像を目視し得るようになっている。
【００４７】
上記アクティブ素子基板１１の液晶層１４が配置される側の面には、図２に示すように、互いに直交するソースバスライン（信号線）５ａとゲートバスライン（信号線）５ｂとからなるバスライン（信号線）５が設けられ、該バスライン５によって格子状に区画された画素領域に、図示しない画素電極と、ＴＦＴ素子、ＭＩＭ（Metal Insulator Metal）素子、ＴＦＤ（Thin Film Diode）等のアクティブ素子（電子デバイス・表示制御部材）６（図１）とが設けられている。また、アクティブ素子基板１１の端部には、アクティブ素子基板１１上のバスライン５やアクティブ素子６等への電圧の印加等、液晶パネル１０に画像表示を行うための、表示駆動制御を行うドライバ回路（電子デバイス・表示制御部材）７が設けられている。
【００４８】
さらに、図１に示すように、上記ドライバ回路７とアクティブ素子基板１１との間には、後述する光出力部１からの光を受光する受光部２が設けられている。受光部２は、微細な部材であり、ドライバ回路７が配置される領域内に収まる程度に小さい。従って、従来のＦＰＣのように、ＦＰＣの端子を接続する領域を確保する必要はなく、例えばアクティブ素子基板１１上のドライバ回路７の配置領域内に、受光部２を形成することができる。これにより、図３に示すように、液晶パネル１０の表示領域２０の周囲に形成される額縁領域を縮小して、狭額縁化を図ることができる。
【００４９】
上記受光部２は、光起電力効果を利用して、受光した光から起電力を生じさせて、ドライバ回路７やアクティブ素子基板１１上の電子部品に供給する電源や信号、バスライン５に伝達する信号として用いることができる電圧を発生させるものである。上記受光部２は、受光した光から起電力を生じさせるだけでなく、該起電力を増幅効果により増幅するようになっていてもよい。
【００５０】
上記受光部２は、光出力部１から出力された光を効率よく受光して、光の利用効率を高めるために、受光部２の受光面と対向する位置等の光伝送経路上には、異方性導電膜等のように、光を遮断する部材や、偏光度、光透過率、分光特性等の光の諸特性を変調する部材を配置しないようにする。言い換えれば、アクティブ素子基板１１上における光伝送経路が露出するように光特性変調部材を設け、該開口部分に上記受光部２を配置する。ここで、上記光特性変調部材とは、上記光を遮断する部材や光特性を変調する部材である。より具体的には、上記光特性変調部材は、光出力部１から出力された光の利用効率を低減する部材であり、例えば、異方性導電膜、偏光板、位相差板、カラーフィルタ、ブラックマトリクス、液晶等が挙げられる。
【００５１】
上記受光部２は、光起電力効果により起電力が生じるものであり、例えば、フォトトランジスタ、フォトダイオード、フォトサイリスタ、ＯＰＩＣ（optical IC）化受光素子、等を用いればよい。上記受光部２は、例えば、シリコン、ＧａＡｓ等にて形成すればよい。
【００５２】
上記受光部２は、図２に示すように、電源を供給するための電源用受光部２ａと、ドライバ回路７やバスライン５に画像信号等の信号を供給するための信号用受光部２ｂとを含んでいる。なお、図２には、ソースバスライン５ａへの信号伝達を制御する側のドライバ回路７に、受光部２や後述する光出力部１（電源用光出力部１ａ，信号用光出力部１ｂ）を設けた場合を示している。
【００５３】
上記受光部２のうち、電源用受光部２ａは、アクティブ素子基板１１面側に設けられているドライバ回路７や、その他アクティブ素子基板１１に形成されている回路、例えばＩＣチップ等の各種電子デバイスに電源を供給するものである。そのため、信号伝達する信号用受光部２ｂとは異なり、電源用受光部２ａは、必要とされる電源供給量に対応した起電力を発生させる必要がある。それゆえ、電源用受光部２ａは、電源供給量に応じた起電力を発生させることができるように、受光部数を多くして、全体としての受光面積を大きくするように形成されることが好ましい。
【００５４】
これに対し、上記信号用受光部２ｂは、ドライバ回路７やソースバスライン５ａに信号伝達を行うために設けられている。従って、上記信号用受光部２ｂは、少なくともドライバ回路７の内部入力信号端子に対応する個数で設けられ、各信号用受光部２ｂと、ドライバ回路７の内部入力信号端子とが電気的に接続されている。上記信号用受光部２ｂから出力された信号（電圧）は、ドライバ回路７に入力され、ドライバ回路７を介して、ドライバ出力端子７１から、各ソースバスライン５ａへの信号出力が行われる。上記信号用受光部２ｂから出力された信号（電圧）は、電源用受光部２ａで得られる電圧よりも小さくてもよい。
【００５５】
また、上記受光部２は、少なくとも受光面をアクティブ素子基板１１に対して露出させた状態で、受光側被覆部９（図２）で覆われている。受光側被覆部９は、光を遮断することができる材料で形成されていればよく、例えば、金属や半導体、光を透過しない樹脂等で形成されている。上記受光側被覆部９は、フィルム状、膜状、又は、シール状に形成・配置されていてもよく、あるいは、印刷によって形成してもよい。この受光側被覆部９により、各受光部２は、それぞれ、他の受光部２から分離され、他の受光部に入射される光や、液晶パネル１０の表示領域を照射するバックライト４からの光、外光等を遮断するようになっている。
【００５６】
上記受光側被覆部９は、図２に示すように、全ての受光部２を一体的に覆って、各電源用受光部２ａ及び各信号用受光部２ｂをそれぞれ分離するようになっていてよい。あるいは、各電源用受光部２ａ及び各信号用受光部２ｂをそれぞれ別々に覆うように、受光側被覆部９を形成してもよい。
【００５７】
一方、上記アクティブ素子基板１１の液晶層１４が配置される側とは反対側の面には、裏偏光板１８が設けられている。この裏偏光板１８は、液晶パネル１０の表示領域２０（図３）全体を少なくとも覆う大きさを有している。また、上記裏偏光板１８上には、該裏偏光板１８を介して、液晶パネル１０の表示領域を照射するためのバックライト４が設けられている。
【００５８】
さらに、上記アクティブ素子基板１１の液晶層１４が配置される側とは反対側の面には、アクティブ素子基板１１を介して、上記受光部２と対向するように、光出力部１が設けられている。すなわち、光出力部１は、該光出力部１の光出力面と受光部２の受光面とが対向し、光出力部１からの出力光が受光部２に入射するように、配置されている。
【００５９】
上記光出力部１から受光部２に導かれる光が通る光伝送経路には、光出力部１から受光部２への光伝送を効率よく行うために、裏偏光板１８、ブラックマトリクス、カラーフィルタ等、光を遮断する、あるいは光特性を変調する部材である光特性変調部材を配置しないようにする。言い換えれば、アクティブ素子基板１１上における光伝送経路が露出するように光特性変調部材を設け、該開口部分に上記光出力部１を配置する。これにより、光出力部１から受光部２に出力される光の利用効率が大幅に低減されることはない。
【００６０】
また、各光出力部１は、各受光部２と対をなすように、受光部２の個数と同じ個数で設けられることになる。このように、各受光部に対して、各光出力部１を配置することによって、各受光部では、光出力部１から出力された光に応じた起電力が発生する。これにより、各受光部にて、アクティブ素子基板１１に設けられたドライバ回路７等に信号伝達や電源電圧を供給することができる。
【００６１】
上記光出力部１は、赤外光や可視光、紫外線等の光を発するものであり、好ましくは、赤外光又は可視光を発するものがよい。上記光出力部としては、例えば、有機ＥＬや無機ＥＬ、発光ダイオード等の半導体発光素子等を用いればよい。上記光出力部を形成する材質としては特に限定されないが、例えば、シリコン等を挙げることができる。
【００６２】
上記光出力部１は、図２に示すように、上記電源用受光部２ａに対向して配置される電源用光出力部１ａと、信号用受光部２ｂに対向して配置される信号用光出力部１ｂとを含んでいる。このうち、電源用光出力部１ａは、アクティブ素子基板１１上の電子部品に電源を供給する電源用受光部２ａに向けて、光を出力するものである。そのため、上記電源用光出力部１ａ及び信号用光出力部１ｂは、それぞれ、電源用受光部２ａ及び信号用受光部２ｂの大きさと配置数とに対応するように、形成される。
【００６３】
すなわち、上記したように、電源用受光部２ａは、より大きな電圧を発生させるために受光面積が相対的に大きく、アクティブ素子基板１１上にて占有する全体としての面積も相対的に大きい。これに対し、上記信号用受光部２ｂは、比較的小さい電圧であってもよいため、全体としての受光面積が相対的に小さく、アクティブ素子基板１１上にて占有する面積も相対的に小さい。従って、電源用受光部２ａと対をなす電源用光出力部１ａは、アクティブ素子基板１１上にて、信号用受光部２ｂと対をなす信号用光出力部１ｂよりも大きい面積を占有するように設けられることになる。
【００６４】
また、上記電源用光出力部１ａは、より大きな電圧を発生する必要がある電源用受光部２ａに光を出力するものであるため、より大きい強度（輝度）の光が得られるものであることが好ましい。一方、上記信号用光出力部１ｂは、比較的小さい電圧の発生でもよい信号用受光部２ｂに入射する光を出力するものであるため、比較的小さい強度（輝度）の光が得られるものであればよい。このように、電源用光出力部１ａと、信号用光出力部１ｂとで、出力される光の強度を異ならせるためには、出力光の強度の異なる発光素子を用いるようにしてもよく、あるいは、用いる発光素子の数を異ならせることによって、出力光の強度を調整してもよい。
【００６５】
さらに、上記光出力部１は、図２に示すように、少なくとも光出力面をアクティブ素子基板１１に対して露出させた状態で、出力側被覆部８で覆われている。出力側被覆部８は、光を遮断することができる材料で形成されていればよく、例えば、金属や半導体、光を透過しない樹脂等で形成されている。この出力側被覆部８により、各光出力部１は、他の光出力部１から分離され、近接する位置に配置される他の光出力部１からの出力光や、液晶パネル１０の表示領域を照射するバックライト４からの光、外光等の影響を受けることなく、対応する受光部２に光を出力できるようになっている。
【００６６】
上記出力側被覆部８は、図２に示すように、上記受光部２を覆う受光側被覆部９に対応するように設けられ、光漏れによる影響を受けないように、また、光出力部１から受光部２への光伝送経路を遮断しないように設けられている。すなわち、光出力面と受光面とが対向するように配置されて、対をなす光出力部１及び受光部２の周囲を取り囲むように、出力側被覆部８及び受光側被覆部９が設けられている。これにより、一組の光出力部１及び受光部２を含む光電変換素子が、バックライト４や外光、他の光電変換素子の光出力部１から出力される光等から分離される。これにより、各光電変換素子の受光部２には、対応する光出力部１からの出力光が入射し、該出力光以外の他の光は入射しないようになっている。
【００６７】
上記出力側被覆部８は、図１に示すように、光出力部１全体を一体的に覆って、各電源用光出力部１ａ及び各信号用光出力部１ｂをそれぞれ分離するようになっていてもよい。あるいは、各電源用光出力部１ａ及び各信号用光出力部１ｂをそれぞれ別々に覆うように、出力側被覆部８を形成してもよい。いずれの場合においても、対応する受光部２に、光出力部１からの出力光が入射するように、すなわち、各光出力部からの出力光が、他の光出力部からの出力光と交わらないように、出力側被覆部８を設ければよい。
【００６８】
上記バックライト４、光出力部１、出力側被覆部８は、図２に示すように、プリント回路基板３上に形成されている。つまり、上記液晶表示装置では、図１に示すように、バックライト４及び出力側被覆部８を介して、アクティブ素子基板１１に対向するように、プリント回路基板３が設けられている。上記プリント回路基板３は、バックライト４や光出力部１に電源や信号を供給する。従って、プリント回路基板３上の制御回路と、バックライト４及び光出力部１とは、電気的に接続されている。
【００６９】
上記構成の液晶表示装置は、上記バックライト４、光出力部１、出力側被覆部８等が形成されたプリント回路基板３と、裏偏光板１８、バスライン５、アクティブ素子６、ドライバ回路７、受光部２、受光側被覆部９等が形成されたアクティブ素子基板１１とを対向させて配置した状態で固定することにより、組み立てられる。このとき、プリント回路基板３に設けられた各光出力部１と、アクティブ素子基板１１に設けられた各受光部２とが、精度よく一致するように、プリント回路基板３とアクティブ素子基板１１とを固定する。
【００７０】
図４（ａ）に、液晶表示装置の組み立て時に行われる位置調整の様子を表す斜視図を示し、図４（ｂ）に、アクティブ素子基板１１に設けられる位置合わせ用マスクの上面図を示す。
【００７１】
上記したように、プリント回路基板３上には光出力部１及び出力側被覆部８が設けられている（図２）。そこで、例えば、図４（ａ）に示すように、上記光出力部１とともに、位置合わせに用いられるダミー発光部（位置合わせ用光出力部）２１を形成し、該ダミー発光部２１を用いて、位置合わせを行ってもよい。具体的には、図４（ａ）に示すように、例えばプリント回路基板３上の出力側被覆部８上の端部に、光出力部１と同様の構造のダミー発光部２１を形成する。
【００７２】
一方、アクティブ素子基板１１上には、位置合わせ用マスク２２を形成する。該位置合わせ用マスク２２は、アクティブ素子基板１１の液晶層１４が配置される側の面に形成してもよく、あるいは、液晶層１４が配置される側とは反対側の面に形成してもよい。上記位置合わせ用マスク２２は、図４（ｂ）に示すように、光遮断性の樹脂等を用いて、アクティブ素子基板１１上に、印刷する、又は、貼り付けることによって形成される。位置合わせ用マスク２２の形状は、四辺形状、円形状等、特に限定されない。
【００７３】
また、位置合わせマスク２２には、光の通過が可能な穴部（位置合わせ用受光部）２２ａが設けられている。穴部２２ａは、ダミー発光部２１から出力される光の光軸と実質的に同じとみなせる大きさで形成され、例えば、円形状を有している。
【００７４】
上記プリント回路基板３とアクティブ素子基板１１との位置合わせは、図示しない液晶表示装置の組み立て装置によって行う。該組み立て装置は、図４（ａ）に示すように、ＣＣＤ（Charge Coupled Device）やカメラ等の光検出部２３を有する位置合わせ検査治具２４と、位置合わせに際してアクティブ素子基板１１を上下左右（同図中の矢印）に移動させる基板移動装置（図示せず）とを備えている。上記位置合わせ検出治具２４は、アクティブ素子基板１１の移動に合わせて移動するようになっている。また、上記光検出部２３は、ダミー発光部２１から出力され、アクティブ素子基板１１に設けられた位置合わせ用マスク２２の穴部２２ａを通過した光を検出する。そのため、上記位置合わせ検出治具２４とアクティブ素子基板１１とは、上記光検出部２３と穴部２２ａとが、ダミー発光部２１からの出力光の光軸の方向に一致するように、対向して配置される。
【００７５】
上記位置合わせに際しては、まず、上記組み立て装置に、プリント回路基板３及びアクティブ素子基板１１を設置する。このとき、アクティブ素子基板１１は、該アクティブ素子基板１１の穴部２２ａと、位置合わせ検出治具２４の光検出部２３とが、一致するように、設置される。続いて、ダミー発光部２１から光を発射し、位置合わせ検出治具２４の光検出部２３を作動させる。このとき、ダミー発光部２１からの出射光の光軸上に、アクティブ素子基板１１に設けられた穴部２２ａが配置されていると、上記出射光は、穴部２２ａを通過して、光検出部２３に入射される。従って、光検出部２３が、ダミー発光部２１からの出射光を検出すると、位置合わせを終了し、その位置にて、プリント回路基板３とアクティブ素子基板１１とを固定する。
【００７６】
これに対し、ダミー発光部２１からの出射光の光軸と、アクティブ素子基板１１に設けられた穴部２２ａの位置とにずれがあり、上記出射光の光軸上に穴部２２ａが配置されていないと、位置合わせ用マスク２２によって出射光の少なくとも一部又は全てが遮断されるので、光検出部２３では、ダミー発光部２１からの全出射光は検出されない。光検出部２３にて、全出射光が検出されない場合には、位置ずれがあると判断して、アクティブ素子基板１１を上下左右（図４（ａ）中の矢印）に移動させながら、光検出部２３で出射光の検出を行う。そして、全出射光が検出されたときの位置で、プリント回路基板３とアクティブ素子基板１１とを固定する。
【００７７】
このように、上記液晶表示装置では、ダミー発光部２１を用いて、プリント回路基板３とアクティブ素子基板１１との位置合わせを行うことができる。これにより、プリント回路基板３に設けられた各光出力部１と、アクティブ素子基板１１に設けられた各受光部２とを精度よく対向させて配置することができる。従って、光出力部１と受光部２とによって、液晶パネル１０への画像表示の表示駆動制御に必要な電圧を良好に供給することができる。
【００７８】
なお、上記ダミー発光部２１は、図４（ａ）に示すように、光出力部１が配列して配置される領域の両端部、つまり、プリント回路基板３の一つの辺の両端部付近に設けることが好ましい。上記両端部に配置された２つのダミー発光部２１を用いて、位置合わせを行うことにより、光出力部８と受光部９との位置合わせの精度を向上することができる。
【００７９】
また、上記位置合わせ用マスク２２に設けられる穴部２２ａは、ダミー発光部２１からの出射光を通過させるものであるため、その大きさは小さく、光出力部８の発光素子サイズ程度以下のものである。そのため、上記穴部２２ａとダミー発光部２１からの出射光の出射位置との間に、大きな位置ずれがあると、位置合わせに時間を要することになる。そこで、プリント回路基板３及びアクティブ素子基板１１に、あらかじめ位置合わせ用のマーキングを形成しておき、このマーキングを用いて、プリント回路基板３とアクティブ素子基板１１との仮の位置合わせを先に行うようにしてもよい。その後、上記ダミー発光部２１及び光検出部２３を用いた位置合わせを行うことにより、光出力部１と受光部２との位置合わせを精度よく行うことができる。
【００８０】
あるいは、上記ダミー発光部２１及び光検出部２３を用いた位置合わせは行わずに、上記マーキングを用いた位置合わせのみを行ってもよい。
【００８１】
上記のように、プリント回路基板３とアクティブ素子基板１１とを固定した後、図１に示すように、シール部材１３を用いて、アクティブ素子基板１１上に、対向電極１５、カラーフィルタ１６、表偏光板１９等が形成された対向基板１２を固定する。次いで、アクティブ素子基板１１と対向基板１２との間に、液晶を封入することにより、液晶表示装置が得られる。
【００８２】
次に、上記構成の液晶表示装置にて、液晶パネル１０に画像表示を行う際の駆動方法について説明する。すなわち、図２に示すように、プリント回路基板３から各光出力部１に電圧が印加される。これにより、各光出力部１から所定の波長及び光強度を有する光が、各受光部２に向けて出力される。このとき、各光出力部１から出力された光の波長及び光強度によって、受光部２で発生する起電力の大きさが決定される。
【００８３】
続いて、各受光部２では、受光した光に基づいて起電力を発生させ、発生した電圧を、ソース側のドライバ回路７の各端子７１に印加する。これにより、ドライバ回路７には、電源、液晶パネル１０に表示される画像の画像信号、各ソースバスライン５ａへの電圧の印加を制御する制御信号等、液晶パネル１０に画像を表示するための表示駆動制御に必要な電圧が供給される。各ソースバスライン５ａには、上記制御信号に基づいて、画像信号が印加される。
【００８４】
一方、図示しないゲート側のドライバ回路には、ゲートバスライン５ｂへの電圧の印加制御するゲート信号が印加される。このゲート信号に基づいて、アクティブ素子６（図１）のオン／オフが切り換えられて、ゲートバスライン５ｂに順次電圧が印加される。このゲートバスライン５ｂへの電圧の印加により、アクティブ素子６が導通状態になり、ソースバスライン５ａに印加された画像信号が、画素電極に印加される。
【００８５】
また、図１に示す対向基板１２に設けられた対向電極１５には、所定の電圧が印加されている。
【００８６】
従って、上記液晶パネル１０では、上記画素電極と対向電極１５との間に電位差が生じ、この電位差に基づく電圧が液晶層１４に印加される。これにより、液晶パネル１０の表示領域２０には、画像信号に応じた画像が表示される。
【００８７】
このように、上記液晶表示装置では、ソースバスライン５ａに伝達される画像信号や制御信号、ドライバ回路７に供給される電源を、光出力部１と受光部２とを有する光電変換素子を用いて供給している。すなわち、上記液晶装置では、従来、ＦＰＣ等の配線基板を用いて行われていたドライバ回路７への電源や信号の供給を、光出力部１から出力された光を受光した受光部２に、光起電力効果によって発生する起電力を取り出すことによって、実現している。
【００８８】
そのため、アクティブ素子基板１１には、ＦＰＣの端子を接続する領域（図１０）ではなく、受光部２を設置する領域を確保すればよい。前記したように、受光部２は、微小な部材であるため、アクティブ素子基板１１上のドライバ回路７が配置される領域に収まる程度の大きさで形成することができる。従って、図３に示すように、表示領域の周囲には、ドライバ回路７を設けるスペースを確保すれば、このスペースに受光部２を配置することができる。
【００８９】
これにより、従来のＦＰＣを用いた液晶表示装置（図１０）のように、液晶パネル１０の端部にＦＰＣを配置するための領域を確保する必要がある場合に比べて、額縁領域を縮小することができる。それゆえ、上記光電変換素子を用いれば、液晶表示装置のより一層の狭額縁化を図ることができる。
【００９０】
なお、前記したように、電源用受光部２ａは全体として相対的に大きい受光面積で形成することが好ましいため、アクティブ素子基板１１上にて、電源用受光部２ａが広い面積を占有することになる。従って、電源用受光部２ａは、図２に示すように、広い面積の占有が可能な、アクティブ素子基板１１の角（隅）付近に配置されることが好ましい。一方、信号用受光部２ｂがアクティブ素子基板１１上にて占有する面積は、相対的に小さくてもよい。従って、信号用受光部２ｂは、図２に示すように、アクティブ素子基板１１の端部に配置することができる。
【００９１】
従って、上記電源用光出力部１ａは、電源用受光部２ａに対向して配置されるため、アクティブ素子基板１１の角（隅）付近に配置されることが好ましい。一方、上記信号用光出力部１ｂは、信号用受光部２ｂに対向して配置されるため、アクティブ素子基板１１の端部に配置することが好ましい。
【００９２】
特に、大画面の液晶表示装置を形成するために、複数の液晶パネル１０をつなぎ合わせる場合には、四辺形状の液晶パネル１０の四辺のうちの二辺に沿って、受光部２を設けることが好ましい。すなわち、図３に示すように、液晶パネル１０の互いに対向する二組の辺のうち、各組から選ばれた二つの辺に、ソース側のドライバ回路７及びゲート側のドライバ回路７’を設ける。そして、これらのドライバ回路７・７’の配置領域に、受光部２を形成する。
【００９３】
これにより、液晶パネル１０の四辺のうちの二辺には受光部２及びドライバ回路７・７’を配置することによって、これらの部材の大きさに対応した額縁領域が形成されるが、残りの二辺に形成される額縁領域を大幅に縮小することができる。
【００９４】
従って、図３に示す液晶パネル１０を用いれば、つなぎ目を介して受光部２が形成された額縁領域が互いに隣接することを防止することができる。それゆえ、液晶パネル１０をつなぎ合わせることによって、つなぎ目における額縁領域が目立つことを防止し、表示品位の優れた大画面の液晶表示装置を提供することが可能になる。
【００９５】
なお、本実施の形態では、ソース側のドライバ回路７に供給される電源及び各種信号を、光出力部１及び受光部２を含む光電変換素子によって生成しているが、電源及び各種信号のうちのいずれかを、光電変換素子で実現してもよい。あるいは、ゲート側のドライバ回路に供給される電源及び信号のうちの少なくとも一方を、上記光電変換素子によって生成してもよく、ゲート側及びソース側の双方のドライバ回路に供給される電源や信号を、上記光電変換素子で生成してもよい。
【００９６】
図５（ａ）及び図６（ａ）に、ゲート側のドライバ回路に供給されるゲート信号を生成する光電変換素子を設けた場合の、アクティブ素子基板の上面図を示し、図５（ｂ）及び図６（ｂ）に、図５（ａ）及び図６（ａ）に示すアクティブ素子基板のそれぞれの概略回路図を示す。
【００９７】
ゲート側のドライバ回路（以下、ゲート側ドライバ回路）に供給される信号を光電変換素子で生成する場合には、例えば、図５（ａ）・（ｂ）に示すように、各ゲートバスライン５ｂに対応するように、アクティブ素子基板１１にゲート受光部３２を設け、図示しないプリント回路基板（制御用回路基板）にゲート光出力部３１を設ければよい。ゲート側ドライバ回路では、ゲート光出力部３１から出力された光を受光したゲート受光部３２で発生した起電力により、各ゲートバスライン５ｂに信号が供給されるようになっている。従って、各ゲート光出力部３１からの光の出力を制御することにより、各ゲート受光部３２のプラス側に接続されたゲートバスライン５ｂへの信号供給が制御されるようになっている。
【００９８】
あるいは、図６（ａ）・（ｂ）に示すように、各ゲートバスライン５ｂに対応するように、アクティブ素子基板１１にゲート受光部３４を設け、各ゲート受光部３４と各ゲートバスライン５ｂとの間に、スイッチング素子３５を設けてもよい。該スイッチング素子３５は、ゲートにてゲート受光部３４に接続され、ドレインにてゲートバスライン５ｂに接続されている。また、上記スイッチング素子３５のソースには、信号供給ライン３６が接続されている。なお、プリント回路基板には、上記ゲート受光部３４に対応するように、ゲート光出力部３３を設ける。
【００９９】
図６（ａ）・（ｂ）に示すゲート側ドライバ回路では、ゲート光出力部３３から出力された光を受光したゲート受光部３４で発生した起電力によって、スイッチング素子３５のオン／オフを制御するようになっている。上記ゲート受光部３４から供給される電圧によって、スイッチング素子３５がオン状態となると、信号供給ライン３６からの信号がゲートバスライン５ｂに印加される。一方、スイッチング素子３５がオフ状態の場合には、信号供給ライン３６からゲートバスライン５ｂに、ゲート信号は印加されない。
【０１００】
なお、上記ゲート受光部３２・３４は、前記した受光部２と同様に、ゲート側ドライバ回路と一体的に形成されることにより、設置位置を縮小して、液晶表示装置の狭額縁化を図ることができる。また、上記ゲート光出力部３１・３３及びゲート受光部３２・３４にそれぞれ、前記した出力側被覆部８及び受光側被覆部９と同様に、被覆部を設けてもよい。
【０１０１】
さらに、上記の液晶表示装置（図１〜図６）では、光電変換素子をなす受光部１及びゲート側受光部３２・３４は、シール部材１３の配置位置の内側、すなわち、液晶層１４内に設けられているが、シール部材１３の配置位置の外側に設けられてもよい。図７に、シール部材１３の配置位置の外側に、受光部２５を形成した液晶表示装置の断面図を示す。該受光部２５は、ソース側の受光部であってもよく、ゲート側のゲート受光部であってもよい。従って、該受光部２５に対向して設けられる光出力部２６も、ソース側の光出力部であってもよく、ゲート側のゲート出力部であってもよい。
【０１０２】
上記受光部２５は、前記したようにドライバ回路２７と一体的に形成されることによって、液晶表示装置の狭額縁化が実現される。従って、シール部材１３の配置位置の外側に受光部２５を形成する場合には、図７に示すように、ドライバ回路２７も、シール部材１３の配置位置の外側に形成する。この場合、ドライバ回路２７とバスライン５とを接続するために、シール部材１３は、受光部２５が配置される側の、対向電極１５の端部及びバスライン５の端部上に形成される。
【０１０３】
あるいは、プリント回路基板３に対するアクティブ素子基板１１及び対向基板１２の配置位置を、図７に示す液晶表示装置とは逆にしてもよい。図８に、プリント回路基板３側から順に、対向基板１２、アクティブ素子基板１１を設けた液晶表示装置の断面図を示す。
【０１０４】
図８に示す液晶表示装置では、プリント回路基板３上に形成されたバックライト４及び光出力部２８上に、対向基板１２が配置されている。対向基板１２には、液晶層１４が配置される側とは反対側の面に、裏偏光板１８が形成されている。また、アクティブ素子基板１１は、対向基板１２を介して、光出力部２８と対向するように、受光部２９を備えている。この受光部２９とアクティブ素子基板１１との間に、ドライバ回路３０が設けられている。また、アクティブ素子基板１１は、液晶層１４が配置される側とは反対側の面に、表偏光板１９を備えている。
【０１０５】
上記構成の液晶表示装置では、受光部２９とドライバ回路３０とは、図７に示す液晶表示装置と同様に、シール部材１３の配置位置の外側に配置されることが好ましい。この理由は、シール部材１３の配置位置の内側に、受光部２９及びドライバ回路３０が設けられると、光出力部２８と受光部２９との間に液晶層１４が介在することになるためである。すなわち、光出力部２８と受光部２９との間に介在する液晶層１４は、光出力部２８から出力される光の遮断や変調を引き起こす。そのため、受光部２９と光出力部２８との間に配置される基板（この場合は、対向基板１２）に、受光部２９の受光面が接触せず、図８に示す液晶表示装置のように、所定間隔を隔てて配置されている場合には、受光部２９と光出力部２８との間に液晶層１４が介在しないように、シール部材１３の外側に、受光部２９及びドライバ回路３０を配置することが好ましい。
【０１０６】
なお、上記受光部２５・２８、及び、光出力部２６・２９は、前記した受光部１及び光出力部２と同様に、被覆部で覆われていてもよい。
【０１０７】
さらに、本実施の形態では、光電変換素子を形成する光出力部と受光部とは、アクティブ素子基板又は対向基板を介して、対向するように配置されているが、該光出力部から受光部への光伝送を効率よく行うための導光部材を設けてもよい。すなわち、導光部材を設けることによって、光出力部から出射された出力光の広がりを抑制し、該出力光を集光した状態で受光部に導くようにしてもよい。上記導光部材としては、マイクロレンズや集光レンズ等のレンズ、光透過性の高いアクリル性樹脂等の透明樹脂やガラス、導光板、プリズム、光ファイバーケーブル等を挙げることができる。
【０１０８】
また、本実施の形態では、光出力部は、光透過性のアクティブ素子基板又は対向基板を介して受光部に対向しているが、これに限定されるものではなく、受光部の受光面と光出力部の光出力面とが対向するように設けられていればよい。すなわち、光出力部から受光部への光伝送経路が、液晶パネルの表示領域と平行になるように、液晶パネルの側部に光出力部を配置してもよい。この場合、光出力部からの出力光が、アクティブ素子基板や対向基板を介することなく、受光部に入射することができる。
【０１０９】
さらに、本実施の形態では、液晶パネルに設けられたソースバスラインやゲートバスラインへの信号供給、ソース側のドライバ回路やゲート側のドライバ回路への電源供給、スイッチング素子等、液晶パネルへの画像表示の表示駆動制御を行うために、光電変換素子を用いているが、これに限定されない。すなわち、電圧の供給を行うことによって作動する、ＩＣチップ等の液晶パネルに設けられた各種の電子部品（電子デバイス）に信号や電源を供給する場合にも、上記光電変換素子を用いることができる。
【０１１０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１１】
本発明の表示装置を用いれば、表示領域の周囲に形成される額縁を大幅に縮小することができる。従って、小型化が要求されている携帯電話やカーナビゲーション、ノート型パソコン等の携帯情報端末に対しては、該携帯情報端末の外形寸法に収まる範囲内で最大寸法となる広い表示領域を有する表示装置を提供することができる。
【０１１２】
また、複数の表示パネルをつなぎ合わせることによって大画面化を図っている表示装置では、表示パネル間のつなぎ目を目立たなくすることができる。これにより、表示品位を向上し、臨場感に富んだ画像表示を行い得る大画面の表示装置を提供することができる。
【図面の簡単な説明】
【０１１３】
【図１】本発明における表示装置の実施の一形態を示す断面図である。
【図２】上記表示装置の分解斜視図である。
【図３】上記表示装置に備えられた液晶パネルの上面図である。
【図４】（ａ）は、上記表示装置の組み立て時に行われる位置調整の様子を表す斜視図であり、（ｂ）は、位置調整に用いられる位置合わせ用マスクの上面図である。
【図５】（ａ）は、本発明の他の実施の形態の表示装置に備えられたアクティブ素子基板の上面図であり、（ｂ）は、（ａ）に示すアクティブ阻止基板の概略回路図である。
【図６】（ａ）は、本発明のさらに他の実施の形態の表示装置に備えられたアクティブ素子基板の上面図であり、（ｂ）は、（ａ）に示すアクティブ阻止基板の概略回路図である。
【図７】本発明における表示装置のさらに他の実施の形態を示す断面図である。
【図８】本発明における表示装置のさらに他の実施の形態を示す断面図である。
【図９】従来の表示装置を示す断面図である。
【図１０】上記従来の表示装置を示す上面図である。
【符号の説明】
【０１１４】
１    光出力部（ゲート光出力部）
２    受光部（ゲート受光部）
３    プリント回路基板（制御用回路基板）
４    バックライト
５    バスライン（信号線）
５ａ  ソースバスライン（信号線）
５ｂ  ゲートバスライン（信号線）
６    アクティブ素子（電子デバイス・表示制御部材）
７    ドライバ回路（電子デバイス・表示制御部材）
８    出力側被覆部
９    受光側被覆部
１０    液晶パネル（表示パネル）
１１    アクティブ素子基板（基板・信号線側基板）
１２    対向基板（基板）
１３    シール部材
１４    液晶層（光特性変調部材）
１５    対向電極
１６    カラーフィルタ（光特性変調部材）
１７    ブラックマトリクス（光特性変調部材）
１８    裏偏光板（光特性変調部材）
１９    表偏光板（光特性変調部材）
２０    表示領域
２１    ダミー発光部（位置合わせ用光出力部）
２２    位置合わせ用マスク
２２ａ  穴部（位置合わせ用受光部）
２３    光検出部
２４    位置合わせ検出治具
２５    受光部
２６    光出力部
２７    ドライバ回路（電子デバイス・表示制御部材）
２８    受光部
２９    光出力部
３０    ドライバ回路（電子デバイス・表示制御部材）
３１    ゲート光出力部（光出力部）
３２    ゲート受光部（受光部）
３３    ゲート光出力部（光出力部）
３４    ゲート受光部（受光部）
３５    スイッチング素子（電子デバイス）
３６    信号供給ライン
【図１】
2006017929.tif 000003
【図２】
2006017929.tif 000004
【図３】
2006017929.tif 000005
【図４】
2006017929.tif 000006
【図５】
2006017929.tif 000007
【図６】
2006017929.tif 000008
【図７】
2006017929.tif 000009
【図８】
2006017929.tif 000010
【図９】
2006017929.tif 000011
【図１０】
2006017929.tif 000012